(57)【要約】【課題】照明制御システム内の構成要素が故障して制御信号が受信されない場合であっても、昼間の点灯に起因する故障若しくは電力の浪費又は夜間の不点灯に伴う不都合を抑制する照明用電源装置を提供する。【解決手段】照明用電源装置６は、光源７に電力を供給する点灯回路６１と、環境照度の変化に応じた制御信号が入力される信号入力回路６２と、実時刻を計時するＲＴＣ６４と、ＲＴＣ６４から時刻を取得する時刻取得部６５と、所定期間にわたって制御信号の受信又は変化がない信号不受信状態を、時刻取得部６５によって取得される時刻に基づいて特定する不受信判定部６６と、制御信号が受信される場合には制御信号に従って点灯回路６１を制御する通常照明制御を実行し、信号不受信状態が特定された場合には点灯回路６１に昼間の出力を相対的に減少させるとともに夜間の出力を相対的に増加させる暫定照明制御を実行する制御決定部６７を含む。【選択図】  図１
2019096496.tif 000002
【特許請求の範囲】
【請求項１】
照明用電源装置であって、
光源に電力を供給する点灯回路と、
環境照度の変化に応じた制御信号が入力される信号入力回路と、
実時刻を計時するＲＴＣと、
前記ＲＴＣから時刻を取得する時刻取得部と、
所定期間にわたって前記制御信号の受信又は変化がない信号不受信状態を、前記時刻取得部によって取得される時刻に基づいて特定する不受信判定部と、
前記制御信号が受信される場合には該制御信号に従って前記点灯回路を制御する通常照明制御を実行し、前記信号不受信状態が特定された場合には前記点灯回路に昼間の出力を相対的に減少させるとともに夜間の出力を相対的に増加させる暫定照明制御を実行する制御決定部と
を備えた照明用電源装置。
【請求項２】
前記時刻取得部が、前記制御信号の受信又は変化を示す受信時刻及び該制御信号によって示される照明制御の内容によって規定される制御情報をメモリに記憶するように構成され、
前記制御決定部が、前記暫定照明制御において、各時刻について前日の前記制御情報又は記憶されている最新の前記制御情報を再現するように構成された、請求項１に記載の照明用電源装置。
【請求項３】
前記制御決定部が、前記暫定照明制御において、予めメモリに記憶された設定時刻及び該設定時刻に基づく照明制御の内容を示す制御情報を実行するように構成された、請求項１に記載の照明用電源装置。
【請求項４】
前記ＲＴＣがカレンダー機能を有し、
前記時刻取得部が、前記制御信号の受信又は変化を示す受信日及び受信時刻又は該制御信号によって示される照明制御の内容によって規定される制御情報をメモリに記憶するように構成され、
前記制御決定部が、前記暫定照明制御において、各時刻について前記受信日の平年又は前年の前記制御情報を再現するように構成された、請求項１に記載の照明用電源装置。
【請求項５】
前記制御信号が、前記環境照度の減少に応じて前記光源を点灯するためのオン制御信号及び前記環境照度の増加に応じて前記光源を消灯するためのオフ制御信号を含み、
前記不受信判定部が、最新の前記オン制御信号又は前記オフ制御信号の受信から２４時間よりも長い前記所定期間内に次の前記オン制御信号又は前記オフ制御信号を受信しない場合に、前記信号不受信状態が発生したものと判定するように構成された、請求項１から４のいずれか一項に記載の照明用電源装置。
【請求項６】
前記制御信号が、前記環境照度の減少に応じて前記光源を点灯するためのオン制御信号及び前記環境照度の増加に応じて前記光源を消灯するためのオフ制御信号を含み、
前記不受信判定部が、最新の前記オン制御信号又は前記オフ制御信号の受信から１５時間以上２４時間以下の前記所定期間内に次の前記オン制御信号又は前記オフ制御信号を受信しない場合に、前記信号不受信状態が発生したものと判定するように構成された、請求項１から４のいずれか一項に記載の照明用電源装置。
【請求項７】
前記制御信号は、前記環境照度の減少に応じて前記光源を点灯するためのオン制御信号を含み、
前記時刻取得部が、前記オン制御信号が受信されたオン受信時刻をメモリに記憶するように構成され、
前記不受信判定部が、最新の前記オン受信時刻から２４時間より長い第１の期間が経過した時刻までに次の前記オン制御信号が受信されない場合に前記オン制御信号の不受信状態を特定するように構成され、
前記制御決定部が、前記オン制御信号の不受信状態が特定された場合には前記点灯回路を動作させてから前記暫定照明制御を実行するように構成された、請求項１から４のいずれか一項に記載の照明用電源装置。
【請求項８】
前記制御信号は、前記環境照度の増加に応じて前記光源を消灯するためのオフ制御信号を含み、
前記時刻取得部が、前記オフ制御信号が受信されたオフ受信時刻をメモリに記憶するように構成され、
前記不受信判定部が、最新の前記オフ受信時刻から２４時間より長い第２の期間が経過した時刻までに次の前記オフ制御信号が受信されない場合に前記オフ制御信号の不受信状態を特定するように構成され、
前記制御決定部が、前記オフ制御信号の不受信状態が特定された場合には前記点灯回路を停止させてから前記暫定照明制御を実行するように構成された、請求項１から４又は７のいずれか一項に記載の照明用電源装置。
【請求項９】
前記不受信判定部が、所定時間帯に所定の制御信号の受信又は変化がない場合に、前記信号不受信状態を特定するように構成され、
前記制御決定部が、当該所定時間帯に前記所定の制御信号が受信されたものとして前記点灯回路を制御してから前記暫定照明制御を実行するように構成された、請求項１から４のいずれか一項に記載の照明用電源装置。
【発明の詳細な説明】
【技術分野】
【０００１】
本発明は、照明制御システムにおいて使用される照明用電源装置に関する。
【背景技術】
【０００２】
特許文献１の照明制御システムは、複数の照明装置と、複数の照明装置を制御する制御装置と、複数の照明装置のうち自機に関連づけられる照明装置との間で無線による通信を行うとともに制御装置との間で有線による通信を行う無線モジュールとを備える。また、特許文献２の照明制御システムは、親機と、親機に接続された複数の子機と、各子機に接続された明るさセンサ及び照明器具を備える。親機は各子機を通信によって制御し、各子機はそれに接続された照明器具を制御する。各子機は、明るさセンサからの環境照度情報に基づいて照明器具を制御する。
【先行技術文献】
【特許文献】
【０００３】
【特許文献１】特開２０１６−６２８５０号公報
【特許文献２】特開２００３−５９６７４号公報
【発明の概要】
【発明が解決しようとする課題】
【０００４】
上記のように、照明制御システムでは、親機、子機、センサなどのシステム構成要素によって照明装置が制御される。しかし、例えば雷サージなどに起因して、システム構成要素の一部が故障した場合に、所望の照明制御が照明装置において実行されない状況が生じ得る。特に、照度センサ（明るさセンサ）の使用により、照明装置を昼間に消灯させ、夜間に点灯させることを意図する照明制御システムでは、上記のようなシステム構成要素の故障の際に種々の問題が生じ得る。まず、照明装置が昼間に点灯してしまうと、直射日光などの影響とともに点灯に伴う内部温度の上昇に起因して照明装置が故障してしまう可能性がある。さらに、昼間の点灯は省エネの観点からも好ましくない。また、夜間に不点灯となると、歩行者、ドライバなどのユーザの行動に支障をきたしてしまう可能性がある。またさらに、一般に、親機、子機又はセンサの交換又は修理には電気工事が必要となるため、故障した照明制御システムを直ちに復旧させるのは難しく、上記のような好ましくない状況が日単位で継続し得る。
【０００５】
そこで、本発明は、照明制御システム内の構成要素が故障して制御信号が受信されない場合であっても、昼間の点灯に起因する故障若しくは電力の浪費又は夜間の不点灯に伴う不都合を抑制する照明用電源装置を提供することを課題とする。
【課題を解決するための手段】
【０００６】
本発明の照明用電源装置は、光源に電力を出力する点灯回路と、環境照度の変化に応じた制御信号が入力される信号入力回路と、実時刻を計時するＲＴＣと、ＲＴＣから時刻を取得する時刻取得部と、所定期間にわたって制御信号の受信又は変化がない信号不受信状態を、時刻取得部によって取得される時刻に基づいて特定する不受信判定部と、制御信号が受信される場合には制御信号に従って点灯回路を制御する通常照明制御を実行し、信号不受信状態が特定された場合には点灯回路に昼間の出力を相対的に減少させるとともに夜間の出力を相対的に増加させる暫定照明制御を実行する制御決定部とを備える。
【０００７】
上記照明用電源装置によると、不受信判定部が実時刻に基づいて制御信号の信号不受信状態を特定し、信号不受信状態が特定された場合に、制御決定部は、点灯回路の昼間の出力を減少させるとともに夜間の出力を増加させる暫定照明制御を実行する。したがって、照明制御システム内の構成要素が故障して制御信号が受信されない場合であっても、昼間の点灯に起因する故障若しくは電力の浪費又は夜間の不点灯に伴う不都合を抑制する照明用電源装置が実現される。
【０００８】
一例では、時刻取得部が、制御信号の受信又は変化を示す受信時刻及びその制御信号によって示される照明制御の内容によって規定される制御情報をメモリに記憶するように構成され、制御決定部が、暫定照明制御において、各時刻について前日の制御情報又は記憶されている最新の制御情報を再現するように構成される。このような暫定照明制御によって、信号不受信状態においても、前日又は最新の照明制御が再現されるので、ユーザにおいて違和感のない照明状態が実現される。
【０００９】
一例では、制御決定部が、暫定照明制御において、メモリに予め記憶されている設定時刻及びその設定時刻に基づく照明制御の内容を示す制御情報を実行するように構成される。このような暫定照明制御によって、照明用電源装置における制御構成が簡素化される。
【００１０】
一例では、ＲＴＣがカレンダー機能を有し、時刻取得部が、制御信号の受信又は変化を示す受信日及び受信時刻並びにその制御信号によって示される照明制御の内容によって規定される制御情報をメモリに記憶するように構成され、制御決定部が、暫定照明制御において、各時刻について受信日の平年又は前年の制御情報を再現するように構成される。このような暫定照明制御によって、信号不受信状態においても、平年又は前年の照明制御が再現されるので、ユーザにおいて違和感のない照明状態が実現される。また、信号不受信状態が週単位又は月単位で長引いたとしても、照明状態が日毎に平年又は前年の照明状態を追従するので、違和感のない照明制御が継続される。
【００１１】
第１の形態の照明用電源装置の一例では、制御信号が、環境照度の減少に応じて光源を点灯するためのオン制御信号及び環境照度の増加に応じて光源を消灯するためのオフ制御信号を含み、不受信判定部が、２４時間よりも長い所定期間内にオン制御信号又はオフ制御信号を受信しない場合に、信号不受信状態が発生したものと判定するように構成される。これにより、システム正常時に受信されるはずの少なくとも１組のオン制御信号及びオフ制御信号の不受信が特定され、精度の高い信号不受信状態の特定が可能となる。
【００１２】
第１の形態の照明用電源装置の他の例では、制御信号が、環境照度の減少に応じて光源を点灯するためのオン制御信号及び環境照度の増加に応じて光源を消灯するためのオフ制御信号を含み、不受信判定部が、１５時間以上２４時間以下の所定期間内にオン制御信号又はオフ制御信号を受信しない場合に、信号不受信状態が発生したものと判定するように構成される。これにより、オン制御信号又はオフ制御信号のいずれかの不受信が特定され、早期の信号不受信状態の特定が可能となる。
【００１３】
第２の形態の照明用電源装置では、制御信号は、環境照度の減少に応じて光源を点灯するためのオン制御信号を含み、時刻取得部が、オン制御信号が受信されたオン受信時刻をメモリに記憶するように構成され、不受信判定部が、最後のオン受信時刻から２４時間より長い第１の期間が経過した時刻までにオン制御信号が受信されない場合にオン制御信号の不受信状態を特定するように構成され、制御決定部は、オン制御信号の不受信状態が特定された場合には点灯回路を動作させてから暫定照明制御を実行するように構成される。また、制御信号は、環境照度の増加に応じて光源を消灯するためのオフ制御信号を含み、時刻取得部が、オフ制御信号が受信されたオフ受信時刻をメモリに記憶するように構成され、不受信判定部が、最後のオフ受信時刻から２４時間より長い第２の期間が経過した時刻までにオフ制御信号が受信されない場合にオフ制御信号の不受信状態を特定するように構成され、制御決定部は、オフ制御信号の不受信状態が特定された場合には点灯回路を停止させてから暫定照明制御を実行するように構成される。これにより、オン制御信号又はオフ制御信号の不受信状態の独立した特定が可能となり、オン制御信号又はオフ制御信号の一方の不受信状態が特定されれば他方の不受信状態の特定を行うことなく暫定照明制御への移行が可能となる。したがって、システム異常時への迅速な対応が可能となる。
【００１４】
第３の形態の照明用電源装置では、不受信判定部が、所定時間帯に所定の制御信号の受信又は変化がない場合に、信号不受信状態を特定するように構成され、制御決定部は、当該所定時間帯に所定の制御信号が受信されたものとして点灯回路を制御してから暫定照明制御を実行するように構成される。これにより、制御信号が単に不受信状態となった場合に限らず、制御信号の送信時刻が通常時よりも大幅にずれて誤送信されるような場合にも暫定照明制御が実行されるので、対処可能なシステム異常の範囲が拡張され得る。
【図面の簡単な説明】
【００１５】
【図１】第１から第３の実施形態によるＬＥＤ用電源装置及び照明制御システムのブロック図である。
【図２】第１から第３の実施形態における制御信号を説明する図である。
【図３】第１の実施形態によるＬＥＤ用電源装置の動作の一例を説明するタイミングチャートである。
【図４】第１の実施形態によるＬＥＤ用電源装置の動作の他の例を説明するタイミングチャートである。
【図５】第２の実施形態によるＬＥＤ用電源装置の動作の一例を説明するタイミングチャートである。
【図６】第３の実施形態によるＬＥＤ用電源装置の動作の一例を説明するタイミングチャートである。
【発明を実施するための形態】
【００１６】
＜第１の実施形態＞
図１に、第１の実施形態によるＬＥＤ用電源装置６及びそれを含む照明制御システム１のブロック図を示す。照明制御システム１は、無線親機２及び照明設備３−１〜３−ｎを含む。以降の説明において、照明設備３−１〜３−ｎを総称して又はいずれか１つを代表して照明設備３というものとする。各照明設備３は、外灯、駐車場照明器具などである。照明設備３は、少なくとも無線子機４を備え、必要に応じて照明装置５又はセンサユニット８を備える。照明装置５は、ＬＥＤ用電源装置６及びＬＥＤ７を含む。
【００１７】
照明設備３−１のように、無線子機４、照明装置５及びセンサユニット８が１つの照明設備に設置されてもよいし、照明設備３−２のように、無線子機４及び照明装置５が１つの照明設備に配置されてもよいし、照明設備３−３のように、無線子機４及びセンサユニット８が１つの照明設備に配置されてもよい。また、照明設備３−ｎのように、照明装置５及びセンサユニット８が含まれずに無線子機４が１つの照明設備に設置されてもよい。この場合、無線子機４は、他の無線子機４と無線親機２の間で信号を転送するための中継器として使用される。各照明設備３に含まれる無線子機４、照明装置５及びセンサユニット８は、それぞれ実質的に同じ構成を有するものとする。
【００１８】
無線親機２、無線子機４、ＬＥＤ用電源装置６及びセンサユニット８の各々は、商用電源などの適宜の電力系統から電源給電されるものとする。無線親機２と各照明設備３の無線子機４との間は無線接続され、無線子機４とセンサユニット８とは有線接続又は無線接続される。無線親機２と無線子機４との無線接続は、例えば、特定小電力無線（例えば、９２０ＭＨｚ帯を利用した通信など）、Ｗｉ−ＳＵＮ、ＺｉｇＢｅｅ（登録商標）、ＢＬＥなどの通信規格に準拠していればよい。無線子機４とＬＥＤ用電源装置６とは、例えば接点信号、ＰＷＭ信号などが伝送可能な態様で接続されていればよい。
【００１９】
概略として、照明制御システム１において、無線親機２が、センサユニット８から無線子機４を介して受信された検知信号に基づいて制御データを生成する。無線親機２は各無線子機４に制御データを送信し、無線子機４は制御データを所定の制御信号に変換して、これをＬＥＤ用電源装置６に出力する。ＬＥＤ用電源装置６は、制御信号に基づいてＬＥＤ７の点灯状態を制御する。後述するように、センサユニット８は環境照度を検出するためのものであり、無線親機２はセンサユニット８の検知結果に基づいて昼間にＬＥＤ７を消灯するとともに夜間にＬＥＤ７を点灯するように制御データを生成する。
【００２０】
無線親機２は、無線通信部２１、処理部２２及びメモリ２３を備える。無線通信部２１は、各無線子機４（無線通信部４１）と無線通信を行う無線モジュールである。処理部２２は、センサユニット８から無線子機４を介して受信される検知信号に基づいて制御データを生成し、この制御データを無線通信部２１から各無線子機４に送信させる。また、処理部２２は、特に明記しない一般的なＣＰＵとしての機能を実行可能であるものとする。メモリ２３は、プログラム及びデータを記憶するＲＡＭ、ＲＯＭなどの記憶部であり、本実施形態を実行するためのプログラムがすでに書き込まれているものとする。処理部２２及びメモリ２３は１つのマイクロコンピュータに含まれ得る。
【００２１】
無線子機４は、無線通信部４１、処理部４２、メモリ４３、信号出力部４４及び信号入力部４５を備える。無線通信部４１は、無線親機２（無線通信部２１）と無線通信を行う無線モジュールである。信号出力部４４は、ＬＥＤ用電源装置６（信号入力回路６２）に信号を出力する出力インターフェース（出力チャネル）として機能する。信号入力部４５は、センサユニット８（検知出力部８２）から信号が入力される入力インターフェース（入力チャネル）として機能する。処理部４２は、センサユニット８から信号入力部４５を介して受信された検知信号を無線通信部４１から無線親機２に転送する。また、処理部４２は、無線親機２から無線通信部４１を介して受信された制御データを制御信号に変換して、その制御信号を信号出力部４４からＬＥＤ用電源装置６に出力する。また、処理部４２は、特に明記しない一般的なＣＰＵとしての機能を実行可能であるものとする。メモリ４３は、プログラム及びデータを記憶するＲＡＭ、ＲＯＭなどの記憶部であり、本実施形態を実行するためのプログラムがすでに書き込まれているものとする。処理部４２及びメモリ４３は１つのマイクロコンピュータに含まれ得る。
【００２２】
センサユニット８は、照度センサ８１及び検知出力部８２を備える。照度センサ８１は、センサユニット８の周囲の環境照度を検出する明るさセンサである。照度センサ８１は、環境照度が所定閾値以上の場合にはハイレベルの検知信号を生成し、環境照度が所定閾値未満の場合にはローレベルの検知信号を生成し、又は検知信号を生成しない。また、検知信号は、検出照度レベルを示すアナログ値又はデジタル値であってもよい。検知出力部８２は、照度センサ８１によって生成される検知信号を無線子機４（信号入力部４５）に出力する。
【００２３】
すなわち、夕方に環境照度が低下すると、センサユニット８が検知信号をハイレベルからローレベルに遷移させ、あるいは検知信号を出力しなくなり、この遷移が無線子機４を介して無線親機２に伝達される。これに応じて、無線親機２は、ＬＥＤ７を点灯するための制御データを無線子機４に送信し、無線子機４がＬＥＤ用電源装置６にＬＥＤ７を点灯させる。一方、朝方に環境照度が上昇すると、センサユニット８がハイレベルの検知信号の出力を開始し、この遷移が無線子機４を介して無線親機２に伝達される。これに応じて、無線親機２は、ＬＥＤ７を消灯するための制御データを無線子機４に送信し、無線子機４がＬＥＤ用電源装置６にＬＥＤ７を消灯させる。あるいは、センサユニット８からの検知信号が検出照度レベルを示す場合、環境照度の低下／上昇に応じて、無線親機２が、検出信号の検出照度レベルの低下／上昇に基づいて制御データを無線子機４に送信し、無線子機４はＬＥＤ用電源装置６にＬＥＤ７を点灯／消灯させる。
【００２４】
ＬＥＤ用電源装置６は点灯回路６１、信号入力回路６２及び制御回路６３を備え、点灯回路６１はＬＥＤ７に接続される。ＬＥＤ７は、多数のＬＥＤ素子が配列されたＬＥＤアレイを有するＬＥＤモジュールである。
【００２５】
点灯回路６１は、商用電源などの入力電圧を、制御回路６３の制御の下で直流電流（電流波形、電流値などが制御された電流）に変換し、その直流電流をＬＥＤ７に供給する。例えば、点灯回路６１は、入力電圧を全波整流する整流回路、及び整流回路の出力電圧から直流定電流を生成してそれをＬＥＤ７に出力するＤＣ／ＤＣコンバータを備える。
【００２６】
信号入力回路６２は、無線子機４（信号出力部４４）から入力される制御信号（オン／オフ制御信号）を所定レベルの電圧信号に変換して、変換された制御信号を制御回路６３に出力する。オン／オフ制御信号は、接点信号などの２値信号であればよい。また、信号入力回路６２は、無線子機４（信号出力部４４）から入力される制御信号（ＰＷＭ信号）をアナログ信号又はデジタル信号に変換して、変換された制御信号を制御回路６３に出力することもできる。なお、説明の便宜上、信号入力回路６２に入力される信号及び信号入力回路６２から制御回路６３に出力される信号をまとめて制御信号というものとする。また、本開示において、制御信号は、オン制御信号及びオフ制御信号の総称としても用いられる。
【００２７】
図２を参照して、オン／オフ制御信号の形態を説明する。図２において、上図はＬＥＤ７の点灯／消灯状態及びオン／オフ制御信号の一例（（ａ）保持型信号）を示し、下図はＬＥＤ７の点灯／消灯状態及びオン／オフ制御信号の一例（（ｂ）トリガ信号）を示し、横軸は時間（日）を示す。（ａ）保持型信号では、ＬＥＤ７の点灯期間ｔｏｎ〜ｔｏｆｆには信号出力が継続し、ＬＥＤ７の消灯期間ｔｏｆｆ〜ｔｏｎには信号出力が停止する。（ｂ）トリガ信号では、ＬＥＤ７の点灯時ｔｏｎに点灯を指示する信号（例えば、０と１の第１の組合せによる信号）が一時的に出力され、ＬＥＤ７の消灯時ｔｏｆｆに消灯を指示する信号（例えば、０と１の第２の組合せによる信号）が一時的に出力される。オン／オフ制御信号が（ａ）保持型信号の場合には、オン／オフ制御信号によって、点灯回路６１のＤＣ／ＤＣコンバータの駆動が動作／停止されるようにしてもよいし、点灯回路６１の入力電源線が投入／遮断されるようにしてもよい。本開示において、保持型信号について、オン制御信号の受信（時刻）とは、オン制御信号の受信開始（時刻）又はオフ制御信号からオン制御信号への遷移（時刻）を意味する。同様に、保持型信号について、オフ制御信号の受信（時刻）とは、オフ制御信号の受信開始（時刻）又はオン制御信号からオフ制御信号への遷移（時刻）を意味する。したがって、保持型信号の場合であってもトリガ信号の場合であっても、制御信号の受信又は変化によってＬＥＤ７の点灯／消灯が決定される。
【００２８】
制御回路６３は、ＲＴＣ（リアルタイムクロック）６４、時刻取得部６５、不受信判定部６６、制御決定部６７及びメモリ６８を含む。これらの各部は相互に信号又はデータのやり取りが可能な態様で接続される。ＲＴＣ６４、時刻取得部６５、不受信判定部６６及び制御決定部６７はＣＰＵの一部を構成し、このＣＰＵはそこに含まれる各部の機能とともに、時刻取得部６５、不受信判定部６６及び制御決定部６７の統括制御など、特に明記しない一般的なＣＰＵとしての機能も実行可能であるものとする。メモリ６８は、プログラム及びデータを記憶するＲＡＭ、ＲＯＭなどの記憶部であり、本実施形態を実行するためのプログラムがすでに書き込まれているものとする。ＣＰＵ及びメモリ６８は１つのマイクロコンピュータに含まれ得る。
【００２９】
ＲＴＣ６４は、実時刻を計時する機能部である。ＲＴＣ６４は、ＬＥＤ用電源装置６への給電の中断などにかかわらず、現時刻（実時刻）を計時することができる。なお、上記では、ＲＴＣ６４がＣＰＵに内蔵されるものとしたが、ＲＴＣ６４はＣＰＵの外部に別部品として実装されてもよい。
【００３０】
時刻取得部６５は、ＲＴＣ６４から時刻を取得し、これをメモリ６８に記憶する。これにより、照明制御システム１が正常に動作していれば、オン制御信号の受信時刻ｔｏｎ及びオフ制御信号の受信時刻ｔｏｆｆがメモリ６８に記憶される。また、時刻取得部６５は、各制御信号が受信された受信時刻及びその制御信号によって示される照明制御の内容によって規定される制御情報をメモリ６８に記憶する。この制御情報は、時刻ｔｏｎにオン制御信号によってＬＥＤ７が点灯開始されたこと及び時刻ｔｏｆｆにオフ制御信号によってＬＥＤ７が消灯開始されたことを示す情報（以下、「動作時刻情報」という）を含む。また、制御情報は、時刻ｔｏｎ〜ｔｏｆｆにＬＥＤ７が点灯状態にあったこと（及びそれ以外の期間では消灯状態であること）及び時刻ｔｏｆｆ〜ｔｏｎにＬＥＤ７が消灯状態にあったこと（及びそれ以外の期間では点灯状態であること）を示す情報（以下、「動作期間情報」という）を含んでいてもよい。
【００３１】
不受信判定部６６は、時刻取得部６５によって取得される実時刻及びメモリ６８に記憶された制御情報に基づいて、制御信号が所定期間以上にわたって受信されない状態又は変化しない状態である信号不受信状態（すなわち、制御信号が途絶えた状態）を特定する。この信号不受信状態は、センサユニット８、無線親機２又は無線子機４の故障に起因し得る。このような照明制御システム１の構成要素の異常は、例えば、雷サージなどによってもたらされ得る。なお、制御信号が保持型信号である場合、無線子機４は、信号不受信状態においては制御信号の最終状態（すなわち、オン制御信号又はオフ制御信号のいずれか）を維持する。以下に示すように、信号不受信状態の判定には種々の態様があり得る。
【００３２】
（Ａ）オン制御信号及びオフ制御信号の不受信の特定
例えば、不受信判定部６６は、２４時間より長い所定期間内にオン制御信号又はオフ制御信号を受信しないことに応じて、信号不受信状態が発生したものと判定する。以下において、この所定期間を不受信判定期間Ｐというものとする。日の出の時刻及び日の入りの時刻の１日での変動は最大でも（春分及び秋分付近において）２分程度であるが、天候（雲のかかり方）などの影響によってオン制御信号同士の間隔又はオフ制御信号同士の間隔は、必ずしも２４時間程度とはならない場合もある。したがって、本来受信されるはずの１組のオン制御信号及びオフ制御信号の不受信を特定するには、不受信判定期間Ｐを２４時間よりも長くすることが望ましい。これにより、システム正常時に受信するはずの少なくとも１組のオン制御信号及びオフ制御信号の不受信が特定され、精度の高い信号不受信状態の特定が可能となる。また、不受信判定期間Ｐの上限は、信号不受信状態によって点灯継続又は消灯継続が許容される時間（例えば、３３時間程度）以下に適宜定められる。
【００３３】
（Ｂ）オン制御信号又はオフ制御信号の不受信の特定
例えば、不受信判定部６６は、１５時間以上２４時間以下の所定期間内にオン制御信号又はオフ制御信号を受信しないことに応じて、信号不受信状態が発生したものと判定する。この場合、不受信判定期間Ｐの下限は、夏至における昼の長さ（又は冬至における夜の長さ）、すなわち、消灯開始に対応する時刻ｔｏｆｆから点灯開始に対応する時刻ｔｏｎまでの最長時間（又は点灯開始に対応する時刻ｔｏｎから消灯開始に対応する時刻ｔｏｆｆまでの最長時間）を考慮して決定され得る。例えば、東京の夏至における日の出から日の入りまでの時間は１４時間３５分（冬至における日の入りから日の出までの時間は１４時間２６分）である。そして、日の入り／日の出時刻に対するＬＥＤ７の点灯／消灯タイミングの時間差、気象条件などを考慮すると、夏至付近では、システム正常時であってもオン制御信号もオフ制御信号も受信されない期間の最大長、すなわち時刻ｔｏｆｆから時刻ｔｏｎまでの期間の最大長が１５時間程度となり得る。同様に、冬至付近では、システム正常時であってもオフ制御信号もオン制御信号も受信されない期間の最大長、すなわち時刻ｔｏｎから時刻ｔｏｆｆまでの期間の最大長が１５時間程度となり得る。したがって、不受信判定期間Ｐは、１５時間程度以上に設定されることが望ましい。これにより、オン制御信号又はオフ制御信号のいずれかの不受信が特定され、早期の信号不受信状態の特定が可能となる。
【００３４】
すなわち、上記（Ａ）及び（Ｂ）の場合に、不受信判定部６６は、メモリ６８に最後に記憶された受信時刻（すなわち、最新の受信時刻）ｔｏｎ又はｔｏｆｆから不受信判定期間Ｐの経過時までに次のオン制御信号又はオフ制御信号が受信されない場合に、信号不受信状態を特定する。
【００３５】
制御決定部６７は、オン制御信号が受信される場合にはそれに従って点灯回路６１を動作させてＬＥＤ７を点灯させ、オフ制御信号が受信される場合にはそれに従って点灯回路６１を停止させてＬＥＤ７を消灯させる通常照明制御を実行する。また、不受信判定部６６によって信号不受信状態が特定された場合には、制御決定部６７は、夜間には点灯回路６１を動作させてＬＥＤ７を点灯させ、昼間には点灯回路６１を停止させてＬＥＤ７を消灯させる暫定照明制御を実行する。その後、異常が解消されて制御信号（オン制御信号又はオフ制御信号）の受信が再開されると、制御決定部６７は、受信される制御信号に従う通常照明制御を再開する。
【００３６】
適用可能な暫定照明制御には、種々の態様が考えられる。上述したように、暫定照明制御は、概ねＬＥＤ７を昼間に消灯させるとともに夜間に点灯させるものであればよいが、通常照明制御を模擬するものであれば、ユーザにおける違和感がなく、好ましい。暫定照明制御は、照明制御システム１に異常が発生してから、故障要素（センサユニット８、無線子機４など）の修理又は交換が行われるまでの数日〜１週間程度の運用が想定される。言い換えると、暫定照明制御が通常照明制御に近似しているほど、上記修理又は交換までの期間を長く確保することが可能となり、照明制御システム１の保守又は管理上の観点から好ましい。以下に、暫定照明制御の例を挙げる。
【００３７】
（１）前日又は最終の照明制御の再現
本例では、制御決定部６７は、暫定照明制御において、各時刻について、前日の制御情報又は記憶されている最新の（最終の）制御情報を再現する。この制御情報は、前日又は最新の時刻ｔｏｎ及び時刻ｔｏｆｆの照明制御を規定した動作時刻情報であってもよいし、前日又は最新の点灯期間（ｔｏｎ〜ｔｏｆｆ）及び消灯期間（ｔｏｆｆ〜ｔｏｎ）の照明制御を規定した動作期間情報であってもよい。
【００３８】
このような暫定照明制御によって、信号不受信状態においても、前日又は最近の照明制御が再現されるので、ユーザにおいて違和感のない照明状態が実現される。なお、記憶されている制御情報がない場合にはデフォルト設定の制御情報が採用されるものとする。
【００３９】
（２）予め設定された照明制御の実行
本例では、予め決定された設定時刻及びその設定時刻に基づく照明制御の内容を示す制御情報がメモリ６８に記憶され、制御決定部６７は、暫定照明制御において、この制御情報を実行する。この場合の制御情報は、設定時刻ｔｏｎ（ｓ）及び設定時刻ｔｏｆｆ（ｓ）の照明制御を規定した動作時刻情報であってもよいし、設定された点灯期間（ｔｏｎ（ｓ）〜ｔｏｆｆ（ｓ））及び消灯期間（ｔｏｆｆ（ｓ）〜ｔｏｎ（ｓ））の照明制御を規定した動作期間情報であってもよい。
【００４０】
このような暫定照明制御によって、ＬＥＤ用電源装置６において制御構成が簡素化される。なお、ＲＴＣ６４がカレンダー機能を有する場合には、設定時刻ｔｏｎ（ｓ）及び設定時刻ｔｏｆｆ（ｓ）は、季節に応じて変動するようにしてもよい。例えば、夏季用（例えば４月〜９月用）の設定時刻ｔｏｎ（ｓ）及びｔｏｆｆ（ｓ）並びに冬季用（例えば１０月〜翌年３月用）の設定時刻ｔｏｎ（ｓ）及びｔｏｆｆ（ｓ）がそれぞれ設定されてもよい。
【００４１】
（３）平年又は前年の照明制御の再現
本例では、ＲＴＣ６４がカレンダー機能を有し、時刻取得部６５は、制御信号が受信された受信日及び受信時刻並びにその制御信号によって示される照明制御の内容によって規定される制御情報をメモリ６８に記憶する。そして、制御決定部６７は、暫定照明制御において、各時刻について、その受信日の平年の制御情報を再現する。平年の制御情報は、ある照明制御に関して、過去数年分の同日の受信時刻の平均値に基づくものである。例えば、オン制御信号の受信時刻が１年前の同日では１７：０１であり、２年前の同日では１７：０６であり、３年前の同日では１７：０５である場合、平年の受信時刻ｔｏｎ（ｙ）は１７：０４となる。また、暫定照明制御は、各時刻について、受信日の前年、すなわち受信日の１年前に相当する日の制御情報を再現する照明制御であってもよい。この制御情報は、平年又は前年の同日の受信時刻ｔｏｎ（ｙ）及び受信時刻ｔｏｆｆ（ｙ）の照明制御を規定した動作時刻情報であってもよいし、平年又は前年の同日の点灯期間（ｔｏｎ（ｙ）〜ｔｏｆｆ（ｙ））及び消灯期間（ｔｏｆｆ（ｙ）〜ｔｏｎ（ｙ））の照明制御を規定した動作期間情報であってもよい。
【００４２】
このような暫定照明制御によって、信号不受信状態においても、平年の照明制御が再現されるので、ユーザにおいて違和感のない照明状態が実現される。また、信号不受信状態が週単位又は月単位で長引いたとしても、照明状態が日毎に平年又は前年の照明状態を追従するので、違和感のない照明制御が継続される。なお、上記の１年前の同日は、現受信日をＭ月Ｄ日とした場合に、原則として過去の年のＭ月Ｄ日のことを示すが、過去の年のＭ月Ｄ日に最も近い日であってもよい。この場合、メモリ６８には、毎日のデータではなく数日毎のデータが記憶されていればよく、記憶量の軽減が可能となる。また、現受信日が閏年の２月２９日である場合のその１年前に相当する日は、前年の２月２８日又は３月１日となる。なお、システム導入初期など、１年前の制御情報が記憶されていない場合には、上記（１）又は（２）の照明制御が実行され得る。
【００４３】
図３に、本実施形態におけるＬＥＤ用電源装置６の動作の一例のタイミングチャートを示す。図３において、横軸は時間（日）であり、上段から、適用される照明制御及びＬＥＤ７の点灯／消灯状態を示す。本例では、上記（Ａ）の場合のように、不受信判定期間Ｐは２４時間より長い時間であるものとする。また、タイミングチャートの開始時点では、通常照明制御が実行されているものとする。
【００４４】
日付Ｄ０の時刻ｔｏｆｆ（朝の時刻）において、信号入力回路６２がオフ制御信号を受信する。これにより、時刻取得部６５は時刻ｔｏｆｆでのオフ制御信号の受信をメモリ６８に記憶し、制御決定部６７はオフ制御信号に応じてＬＥＤ７を消灯させる。
日付Ｄ０の時刻ｔｏｎ（夕方の時刻）において、信号入力回路６２がオン制御信号を受信する。これにより、時刻取得部６５は時刻ｔｏｎでのオン制御信号の受信をメモリ６８に記憶し、制御決定部６７はオン制御信号に応じてＬＥＤ７を点灯させる。
ここで、日付Ｄ０の時刻ｔａにおいて、照明制御システム１の構成要素に異常が発生したとする。これにより、以降の制御信号が新たに発生せず、その後点灯が継続する。
【００４５】
日付Ｄ０の時刻ｔｏｆｆから不受信判定期間Ｐの経過時の日付Ｄ１の時刻ｔｄまでに制御信号が受信されないことから、不受信判定部６６は信号不受信状態を特定する。なお、時刻ｔｄの時点で、ＬＥＤ７は、日付Ｄ０の時刻ｔｏｎに受信したオン制御信号に基づく点灯を継続している。信号不受信状態の特定に応じて、制御決定部６７は、時刻ｔｄ以降に暫定照明制御を実行する。
【００４６】
上記（１）の暫定照明制御（前日又は最新の照明制御の再現）の場合、制御決定部６７は、動作時刻情報を用いる場合には、日付Ｄ２の時刻ｔｏｆｆにおいて、オフ制御信号に対応する照明制御、すなわちＬＥＤ７の消灯を実行する。あるいは、制御決定部６７は、動作期間情報を用いる場合には、時刻ｔｄにおいては点灯が実行されるべきことを特定してＬＥＤ７の点灯を実行（継続）する。その後、いずれかの制御信号が受信されるまで、制御決定部６７は、時刻ｔｏｆｆでの消灯と時刻ｔｏｎでの点灯とを反復させる（日付Ｄ２及びＤ３参照）。
【００４７】
上記（２）の暫定照明制御（予め設定された照明制御の実行）の場合、制御決定部６７は、動作時刻情報を用いる場合には、日付Ｄ２の設定時刻ｔｏｆｆ（ｓ）において、オフ制御信号に対応する照明制御、すなわちＬＥＤ７の消灯を実行する。あるいは、制御決定部６７は、動作期間情報を用いる場合には、時刻ｔｄにおいては点灯が実行されるべきことを特定してＬＥＤ７の点灯を実行（継続）する。その後、いずれかの制御信号が受信されるまで、制御決定部６７は、設定時刻ｔｏｆｆ（ｓ）での消灯と設定時刻ｔｏｎ（ｓ）での点灯とを反復させる（日付Ｄ２及びＤ３参照）。
【００４８】
上記（３）の暫定照明制御（平年又は前年の照明制御の再現）の場合、制御決定部６７は、動作時刻情報を用いる場合には、日付Ｄ２の時刻ｔｏｆｆ（ｙ）（平年又は前年の日付Ｄ＋２におけるオフ制御信号の受信時刻）において、オフ制御信号に対応する照明制御、すなわちＬＥＤ７の消灯を実行する。あるいは、制御決定部６７は、動作期間情報を用いる場合には、時刻ｔｄにおいては点灯が実行されるべきことを特定してＬＥＤ７の点灯を実行（継続）する。その後、いずれかの制御信号が受信されるまで、制御決定部６７は、時刻ｔｏｆｆ（ｙ）での消灯と時刻ｔｏｎ（ｙ）での点灯とを反復させる（日付Ｄ２及びＤ３参照）。
【００４９】
図４に、本実施形態におけるＬＥＤ用電源装置６の動作の他の例のタイミングチャートを示す。図４において、横軸は時間（日）であり、上段から、適用される照明制御及びＬＥＤ７の点灯／消灯状態を示す。本例では、上記（Ｂ）の場合のように、不受信判定期間Ｐが２４時間以下の時間であるものとする。また、タイミングチャートの開始時点では、通常照明制御が実行されているものとする。
【００５０】
日付Ｄ０の時刻ｔｏｆｆ（朝の時刻）において、信号入力回路６２がオフ制御信号を受信する。これにより、時刻取得部６５は時刻ｔｏｆｆでのオフ制御信号の受信をメモリ６８に記憶し、制御決定部６７はオフ制御信号に応じてＬＥＤ７を消灯させる。
日付Ｄ０の時刻ｔｏｎ（夕方の時刻）において、信号入力回路６２がオン制御信号を受信する。これにより、時刻取得部６５は時刻ｔｏｎでのオン制御信号の受信をメモリ６８に記憶し、制御決定部６７はオン制御信号に応じてＬＥＤ７を点灯させる。
日付Ｄ０の時刻ｔａにおいて、照明制御システム１の構成要素に異常が発生し、以降の制御信号が新たに発生しなくなるものとする。
【００５１】
日付Ｄ０の時刻ｔｏｆｆから不受信判定期間Ｐの経過時の日付Ｄ１の時刻ｔｄまでに制御信号が受信されないことから、不受信判定部６６は信号不受信状態を特定する。なお、時刻ｔｄの時点で、ＬＥＤ７は、日付Ｄ０の時刻ｔｏｎに受信したオン制御信号に基づいて点灯を継続している。信号不受信状態の特定に応じて、制御決定部６７は、時刻ｔｄ以降には暫定照明制御を実行する。
【００５２】
上記（１）の暫定照明制御（前日又は最新の照明制御の再現）の場合、制御決定部６７は、動作時刻情報を用いる場合（点線）には、日付Ｄ２の時刻ｔｏｆｆにおいて、オフ制御信号に対応する照明制御、すなわちＬＥＤ７の消灯を実行する。あるいは、制御決定部６７は、動作時刻情報（実線）を用いる場合には、時刻ｔｄにおいて消灯が実行されるべきことを特定してＬＥＤ７の消灯を実行する。その後、いずれかの制御信号の受信が再開されるまで、制御決定部６７は、時刻ｔｏｎでの点灯と時刻ｔｏｆｆでの消灯とを反復させる（日付Ｄ２及びＤ３参照）。
【００５３】
上記（２）の暫定照明制御（予め設定された照明制御の実行）の場合、制御決定部６７は、動作時刻情報を用いる場合（点線）には、日付Ｄ２の設定時刻ｔｏｆｆ（ｓ）において、オフ制御信号に対応する照明制御、すなわちＬＥＤ７の消灯を実行する。あるいは、制御決定部６７は、動作時刻情報を用いる場合（実線）には、時刻ｔｄにおいて消灯が実行されるべきことを特定してＬＥＤ７の消灯を実行する。その後、いずれかの制御信号が受信されるまで、制御決定部６７は、設定時刻ｔｏｎ（ｓ）での点灯と設定時刻ｔｏｆｆ（ｓ）での消灯とを反復させる。
【００５４】
上記（３）の暫定照明制御（平年又は前年の照明制御の再現）の場合、制御決定部６７は、動作時刻情報を用いる場合（点線）には、日付Ｄ２の時刻ｔｏｆｆ（ｙ）において、オフ制御信号に対応する照明制御、すなわちＬＥＤ７の消灯を実行する。あるいは、制御決定部６７は、動作時刻情報を用いる場合（実線）には、時刻ｔｄにおいて消灯が実行されるべきことを特定してＬＥＤ７の消灯を実行する。その後、いずれかの制御信号が受信されるまで、制御決定部６７は、時刻ｔｏｎ（ｙ）での点灯と時刻ｔｏｆｆ（ｙ）での消灯とを反復させる。
【００５５】
なお、図３及び図４では、図の明瞭化のために、時刻ｔｏｎ、設定時刻ｔｏｎ（ｓ）及び時刻ｔｏｎ（ｙ）を同じ時刻として示しているが、これらは異なり得る。同様に、時刻ｔｏｆｆ、設定時刻ｔｏｆｆ（ｓ）及び時刻ｔｏｆｆ（ｙ）を同じ時刻として示しているが、これらも異なり得る。また、上記ではＬＥＤ７の点灯期間中に時刻ｔｄが発生する例を示したが、ＬＥＤ７の消灯期間中に時刻ｔｄが発生する場合でも、点灯と消灯とを上記と逆にして同様の動作が適用される。
【００５６】
＜拡張例＞
本実施形態では、制御信号が２値信号のオン制御信号及びオフ制御信号からなる構成が採用されるが、制御信号はこれに限られない。例えば、オフ制御信号の代わりに、ＬＥＤ７を低調光率ｄ１（例えば５％〜２５％など）で点灯させる減光制御信号が採用され、オン制御信号の代わりに、ＬＥＤ７の調光率をｄ１よりも高い調光率ｄ２（例えば７５％〜１００％など）で点灯させる増光制御信号が採用されてもよい。この場合、制御信号は、調光率を指示するＰＷＭ信号であればよい。すなわち、本発明は、ＬＥＤ７を昼間に消灯させるとともに夜間に点灯させる照明制御だけでなく、ＬＥＤ７を中間に暗く点灯させるとともに夜間に明るく点灯させる照明制御にも適用可能である。すなわち、暫定照明制御は、点灯回路６１を昼間に停止させるとともに夜間に動作させる照明制御だけでなく、点灯回路６１の昼間の出力が相対的に減少するとともに夜間の出力が相対的に増加する照明制御であってもよい。なお、本開示において、昼間とは、少なくとも正午１２時を含む時間帯であり、夜間とは、少なくとも午前０時を含む時間帯のことをいうものとする。
【００５７】
また、本実施形態では、制御信号が接点信号（１ビット信号）によるオン制御信号及びオフ制御信号のみからなる構成が採用されるが、制御信号が、オン制御信号及びオフ制御信号に加えて段調光信号（例えば５０％調光を実行するための信号）を含んでいてもよい。この場合、制御信号は、調光率を指示するＰＷＭ信号、２ビット以上の接点又はデジタル信号などであればよい。そのような段調光信号の受信時刻から不受信判定期間Ｐの経過時までに何らか制御信号が受信されない場合にも、不受信判定部６６は信号不受信状態が発生したことを判定することができる。そして、暫定照明制御において、オン制御信号及びオフ制御信号に関する制御情報に加えて段調光信号に関する制御情報が再現又は実行されるようにしてもよい。この拡張例は、後述する他の実施形態においても適用可能である。
【００５８】
以上のように、本実施形態のＬＥＤ用電源装置６は、ＬＥＤ７に電力を供給する点灯回路６１と、環境照度の変化に応じた制御信号が入力される信号入力回路６２と、実時刻を計時するＲＴＣ６４と、ＲＴＣ６４から時刻を取得する時刻取得部６５と、不受信判定期間Ｐにわたって制御信号の受信又は変化がない信号不受信状態を、時刻取得部６５によって取得される時刻に基づいて特定する不受信判定部６６と、制御信号が受信される場合には制御信号に従って点灯回路６１を制御する通常照明制御を実行し、信号不受信状態が特定された場合には点灯回路６１に昼間の出力を相対的に減少させる（例えば、停止させる）とともに夜間の出力を相対的に増加させる（例えば、動作させる）暫定照明制御を実行する制御決定部６７とを備える。
【００５９】
このように、不受信判定部６６が実時刻に基づいて制御信号の信号不受信状態を特定し、信号不受信状態が特定された場合に、制御決定部６７は、点灯回路６１の昼間の出力を減少させるとともに夜間の出力を増加させる暫定照明制御を実行する。したがって、照明制御システム内の構成要素が故障して制御信号が受信されない場合であっても、昼間の点灯に起因する故障若しくは電力の浪費又は夜間の不点灯に伴う不都合を抑制する照明用電源装置が実現される。
【００６０】
＜第２の実施形態＞
上記第１の実施形態では、制御信号の種類にかかわらずその信号不受信時間を判定する構成を示したが、本実施形態では制御信号の種類ごとにその信号不受信時間を判定する構成を示す。
【００６１】
本実施形態のＬＥＤ用電源装置６のブロック図は、図１に示す第１の実施形態のブロック図と同じである。ただし、本実施形態と第１の実施形態とは、不受信判定部６６及び制御決定部６７の動作が一部異なる。本実施形態の構成要素及び動作について、第１の実施形態と同様のものについては説明を省略又は簡略化する。
【００６２】
本実施形態では、不受信判定部６６は、メモリ６８に記憶された最後（最新）のオン制御信号の受信時刻ｔｏｎから不受信判定期間Ｐ１の経過時となっても次のオン制御信号が受信されない場合に、信号不受信状態を特定する。また、不受信判定部６６は、メモリ６８に記憶された最後（最新）のオフ制御信号の受信時刻ｔｏｆｆから不受信判定期間Ｐ２の経過時となっても次のオフ制御信号が受信されない場合に、信号不受信状態を特定する。
【００６３】
ここで、不受信判定期間Ｐ１及びＰ２の長さは同じであっても異なっていてもよい。第１の実施形態において上述したように、暦上、日の出の時刻及び日の入りの時刻の１日当たりの変動幅は２分未満であるが、天候などの影響によってオン制御信号同士の間隔又はオフ制御信号同士の間隔は、必ずしも２４時間程度とはならない場合もある。したがって、オン制御信号の不受信を特定するには不受信判定期間Ｐ１を２４時間より長くすることが望ましく、オフ制御信号の不受信を特定するには不受信判定期間Ｐ２を２４時間より長くすることが望ましい。これにより、オン制御信号又はオフ制御信号の不受信が独立して確実に特定される。また、不受信判定期間Ｐ１及びＰ２の長さの上限は、信号不受信状態による点灯継続又は消灯継続の許容可能時間（例えば、２４．５〜３０時間程度）以下に適宜定められる。
【００６４】
制御決定部６７は、不受信判定期間Ｐ１の経過時に（オン制御信号の）信号不受信状態が特定された場合には、ＬＥＤ７を点灯させてから暫定照明制御に移行する。また、制御決定部６７は、不受信判定期間Ｐ２の経過時に（オフ制御信号の）信号不受信状態が特定された場合には、ＬＥＤ７を消灯させてから暫定照明制御を消灯する。いずれの場合であっても、制御決定部６７は、その後に制御信号（オン制御信号又はオフ制御信号）を受信するまで暫定照明制御を実行する。暫定照明制御は、第１の実施形態で説明した（１）前日又は最終の照明制御の再現、（２）予め設定された照明制御の実行又は（３）１年前の照明制御の再現のいずれかであればよい。
【００６５】
図５に、本実施形態におけるＬＥＤ用電源装置６の動作の一例のタイミングチャートを示す。図５において、横軸は時間（日）であり、上段から、適用される照明制御及びＬＥＤ７の点灯／消灯状態を示す。また、タイミングチャートの開始時点では、通常照明制御が実行されているものとする。
【００６６】
日付Ｄ０の時刻ｔｏｆｆ（朝の時刻）において、信号入力回路６２がオフ制御信号を受信する。これにより、時刻取得部６５は時刻ｔｏｆｆでのオフ制御信号の受信をメモリ６８に記憶し、制御決定部６７はオフ制御信号に応じてＬＥＤ７を消灯させる。
日付Ｄ０の時刻ｔｏｎ（夕方の時刻）において、信号入力回路６２がオン制御信号を受信する。これにより、時刻取得部６５は時刻ｔｏｎでのオン制御信号の受信をメモリ６８に記憶し、制御決定部６７はオン制御信号に応じてＬＥＤ７を点灯させる。
日付Ｄ０の時刻ｔａにおいて、照明制御システム１の構成要素に異常が発生し、以降の制御信号が新たに発生しなくなるものとする。
【００６７】
日付Ｄ０の時刻ｔｏｆｆから不受信判定期間Ｐ１（２４時間超）の経過時である日付Ｄ１の時刻ｔｄまでに制御信号が受信されないことから、不受信判定部６６は信号不受信状態を特定する。なお、時刻ｔｄの時点で、ＬＥＤ７は、日付Ｄ０の時刻ｔｏｎに受信したオン制御信号に基づく点灯を継続している。信号不受信状態の特定に応じて、制御決定部６７は、ＬＥＤ７を消灯してから暫定照明制御を実行する。すなわち、いずれかの制御信号の受信が再開されるまで、制御決定部６７は、時刻ｔｏｎでの点灯と時刻ｔｏｆｆでの消灯の反復、設定時刻ｔｏｎ（ｓ）での点灯と設定時刻ｔｏｆｆ（ｓ）での消灯の反復、又は時刻ｔｏｎ（ｙ）での点灯と時刻ｔｏｆｆ（ｙ）での消灯の反復を実行する。
【００６８】
なお、図５では、図の明瞭化のために、時刻ｔｏｎ、設定時刻ｔｏｎ（ｓ）及び時刻ｔｏｎ（ｙ）を同じ時刻として示しているが、これらは異なり得る。同様に、時刻ｔｏｆｆ、設定時刻ｔｏｆｆ（ｓ）及び時刻ｔｏｆｆ（ｙ）を同じ時刻として示しているが、これらも異なり得る。また、上記ではＬＥＤ７の点灯期間中（不受信判定期間Ｐ１の終了時）に時刻ｔｄが発生する例を示したが、ＬＥＤ７の消灯期間中（不受信判定期間Ｐ２の終了時）に時刻ｔｄが発生する場合でも、点灯と消灯とを上記と逆にして同様の動作が適用される。
【００６９】
以上のように、本実施形態のＬＥＤ用電源装置６では、制御信号は環境照度の減少に応じてＬＥＤ７を点灯するためのオン制御信号を含み、時刻取得部６５が、オン制御信号が受信された受信時刻ｔｏｎをメモリ６８に記憶するように構成され、不受信判定部６６が、最後の受信時刻ｔｏｎから２４時間より長い不受信判定期間Ｐ１が経過した時刻までにオン制御信号が受信されない場合にオン制御信号の不受信状態を特定するように構成され、制御決定部６７は、オン制御信号の不受信状態が特定された場合には点灯回路６１を動作させてから暫定照明制御を実行するように構成される。また、制御信号は環境照度の増加に応じてＬＥＤ７を消灯するためのオフ制御信号を含み、時刻取得部６５が、オフ制御信号が受信された受信時刻ｔｏｆｆをメモリ６８に記憶するように構成され、不受信判定部６６が、最後の受信時刻ｔｏｆｆから２４時間より長い不受信判定期間Ｐ２が経過した時刻までにオフ制御信号が受信されない場合にオフ制御信号の不受信状態を特定するように構成され、制御決定部６７は、オフ制御信号の不受信状態が特定された場合には点灯回路６１を停止させてから暫定照明制御を実行するように構成される。
【００７０】
これにより、オン制御信号又はオフ制御信号の不受信状態の独立した特定が可能となり、オン制御信号又はオフ制御信号の一方の不受信状態が特定されれば他方の不受信状態の特定を行うことなく暫定照明制御への移行が可能となる。したがって、本実施形態では、第１の実施形態において得られる効果に加えて、システム異常時への迅速な対応が可能となるという効果が得られる。
【００７１】
＜第３の実施形態＞
上記第２の実施形態では、所定の制御信号の受信時からの経過時間に基づいて信号不受信状態が特定される構成を示したが、本実施形態では所定時間帯において各制御信号が受信されないことに基づいて信号不受信状態が特定される構成を示す。
【００７２】
本実施形態のＬＥＤ用電源装置６のブロック図は、図１に示す第１又は第２の実施形態のブロック図と同じである。ただし、本実施形態と第１又は第２の実施形態とは、不受信判定部６６及び制御決定部６７の動作が一部異なる。本実施形態の構成要素及び動作について、第１又は第２の実施形態と同様のものについては説明を省略又は簡略化する。
【００７３】
本実施形態では、不受信判定部６６が、時間帯Ｔ１（朝）にオフ制御信号が受信されない場合又は時間帯Ｔ２（夕）にオン制御信号が受信されない場合に、信号不受信状態の発生を特定する。時間帯Ｔ１は、例えば、４時〜７時などであればよい。時間帯Ｔ２は、例えば、１６時３０分〜１９時３０分などであればよい。また、ＲＴＣ６４がカレンダー機能を有している場合には、時間帯Ｔ１及びＴ２は、季節に応じて（例えば、４月〜９月の夏季用時間帯と１０月〜翌年３月の冬季用時間帯との間で）変更されるようにしてもよい。
【００７４】
制御決定部６７は、時間帯Ｔ１の経過時に（オフ制御信号の）信号不受信状態が特定された場合には、ＬＥＤ７を消灯してから暫定照明制御を実行する。また、制御決定部６７は、時間帯Ｔ２の経過時に（オン制御信号の）信号不受信状態が特定された場合には、ＬＥＤ７を点灯してから暫定照明制御を実行する。いずれの場合であっても、制御決定部６７は、その後に制御信号（オフ制御信号又はオン制御信号）を受信するまで暫定照明制御を実行する。暫定照明制御は、第１の実施形態で説明した（１）前日又は最終の照明制御の再現、（２）予め設定された照明制御の実行又は（３）１年前の照明制御の再現のいずれかであればよい。なお、制御決定部６７は、時間帯Ｔ１以外の時間に受信されたオン制御信号及び時間帯Ｔ２以外の時間に受信されたオフ制御信号を異常な信号として無視することができる。
【００７５】
図６に、本実施形態におけるＬＥＤ用電源装置６の動作の一例のタイミングチャートを示す。図６において、横軸は時間（日）であり、上段から、適用される照明制御及びＬＥＤ７の点灯／消灯状態を示す。また、タイミングチャートの開始時点では、通常照明制御が実行されているものとする。
【００７６】
日付Ｄ０の時間帯Ｔ１内の時刻ｔｏｆｆに信号入力回路６２がオフ制御信号を受信する。これにより、時刻取得部６５は時刻ｔｏｆｆでのオフ制御信号の受信をメモリ６８に記憶し、制御決定部６７はオフ制御信号に応じてＬＥＤ７を消灯させる。
日付Ｄ０の時間帯Ｔ２内の時刻ｔｏｎに信号入力回路６２がオン制御信号を受信する。これにより、時刻取得部６５は時刻ｔｏｎでのオン制御信号の受信をメモリ６８に記憶し、制御決定部６７はオン制御信号に応じてＬＥＤ７を点灯させる。
日付Ｄ０の時刻ｔａにおいて、照明制御システム１の構成要素に異常が発生し、以降の制御信号が新たに発生しなくなるものとする。
【００７７】
日付Ｄ１の時間帯Ｔ１内に制御信号が受信されないことから、不受信判定部６６は時間帯Ｔ１の終了時刻ｔｄにおいて信号不受信状態を特定する。なお、時刻ｔｄの時点で、ＬＥＤ７は、日付Ｄ０の時刻ｔｏｎに受信したオン制御信号に基づく点灯を継続している。制御決定部６７は、信号不受信状態の特定に応じて、ＬＥＤ７を消灯してから暫定照明制御を実行する。すなわち、いずれかの制御信号の受信が再開されるまで、制御決定部６７は、時刻ｔｏｎでの点灯と時刻ｔｏｆｆでの消灯の反復、設定時刻ｔｏｎ（ｓ）での点灯と設定時刻ｔｏｆｆ（ｓ）での消灯の反復、又は時刻ｔｏｎ（ｙ）での点灯と時刻ｔｏｆｆ（ｙ）での消灯の反復を実行する。
【００７８】
なお、図６では、図の明瞭化のために、時刻ｔｏｎ、設定時刻ｔｏｎ（ｓ）及び時刻ｔｏｎ（ｙ）を同じ時刻として示しているが、これらは異なり得る。同様に、時刻ｔｏｆｆ、設定時刻ｔｏｆｆ（ｓ）及び時刻ｔｏｆｆ（ｙ）を同じ時刻として示しているが、これらも異なり得る。また、上記ではＬＥＤ７の点灯期間中、すなわち時間帯Ｔ１の終了時に時刻ｔｄが発生する例を示したが、ＬＥＤ７の消灯期間中、すなわち時間帯Ｔ２の終了時に時刻ｔｄが発生する場合でも、点灯と消灯とを上記と逆にして同様の動作が適用される。
【００７９】
以上のように、本実施形態のＬＥＤ用電源装置６では、不受信判定部６６が、所定の時間帯Ｔ１又はＴ２に所定の制御信号（オフ制御信号又はオン制御信号）の受信又は変化がない場合に、信号不受信状態を特定するように構成され、制御決定部６７は、当該所定時間帯Ｔ１又はＴ２に所定の制御信号（オフ制御信号又はオン制御信号）が受信されたものとして点灯回路６１を制御してから暫定照明制御を実行するように構成される。これにより、制御信号が単に不受信状態となった場合に限らず、制御信号の送信時刻が通常時よりも大幅にずれて誤送信されるような場合にも暫定照明制御が実行される。したがって、本実施形態では、第１の実施形態において得られる効果に加えて、対処可能なシステム異常の範囲が拡張され得るという効果が得られる。
【００８０】
＜変形例＞
以上に本発明の好適な実施形態を示したが、本発明は、例えば以下に示すように種々の態様に変形可能である。
【００８１】
（１）光源に関する変形
上記第１から第３の実施形態では、照明装置５が、光源としてＬＥＤ７を含み、照明用電源装置としてＬＥＤ用電源装置６（特にＬＥＤ用の点灯回路６１）を含む構成を示した。一方、照明装置５において、光源は放電灯などの他の種類の光源であってもよく、その場合には、放電灯用電源装置など、その光源に適した照明用電源装置（特にその光源に適した点灯回路）が採用されるものとする。
【００８２】
（２）システム構成に関する変形
上記第１から第３の実施形態では、照明制御システム１が無線親機２及び無線子機４を備える構成を示した。一方、照明制御システム１において、親機（無線親機２の代替）と子機（無線子機４の代替）が有線接続される構成にも本発明は適用可能である。また、親機と子機の間の照明制御のための通信は、ＤＭＸ５１２、ＲＤＭ（Ｒｅｍｏｔｅ  Ｄｅｖｉｃｅ  Ｍａｎａｇｅｍｅｎｔ）、ＤＡＬＩ（Ｄｉｔｉｇａｌ  Ａｄｄｒｅｓｓａｂｌｅ  Ｉｎｔｅｒｆａｃｅ）など、他の通信方式に従うものであってもよい。
【符号の説明】
【００８３】
１  照明制御システム
２  無線親機
３、３−１〜３−ｎ  照明設備
４  無線子機
５  照明装置
６  ＬＥＤ用電源装置（照明用電源装置）
７  ＬＥＤ（光源）
８  センサユニット
６１  点灯回路
６２  信号入力回路
６３  制御回路
６４  ＲＴＣ
６５  時刻取得部
６６  不受信判定部
６７  制御決定部
６８  メモリ
【図１】
2019096496.tif 000003
【図２】
2019096496.tif 000004
【図３】
2019096496.tif 000005
【図４】
2019096496.tif 000006
【図５】
2019096496.tif 000007
【図６】
2019096496.tif 000008